(57)【要約】【課題】  種々の電動鋸にも取付可能な被ガイド部材を有した軒樋切断治具を提供し、軒樋切断治具を用いた精度良い軒樋の切断を種々の電動鋸を使用して行わせることを課題とする。【解決手段】  軒樋２の長手方向の任意位置に軒樋２の周方向に亙って軒樋２の外側に被着するガイド部材３と、電動鋸４のベース板５に取り付けて軒樋切断時にガイド部材３によってガイドされる被ガイド部材６とで構成した軒樋切断治具１である。ベース板５の幅寸法よりも長い板状の上部材６ａと下部材６ｂとで被ガイド部材６を構成する。上部材６ａ及び下部材６ｂの長手方向の中央域をベース板５を上下から挟み込む部位とする。ベース板５の幅方向に突出する上部材６ａ及び下部材６ｂの長手方向の両端域をネジ７で締結する部位とする。【選択図】        図１
2005048444.tif 000002
【特許請求の範囲】
【請求項１】
軒樋の長手方向の任意位置に軒樋の周方向に亙って軒樋の外側に被着するガイド部材と、電動鋸のベース板に取り付けて軒樋切断時にガイド部材によってガイドされる被ガイド部材とで構成した軒樋切断治具において、ベース板の幅寸法よりも長い板状の上部材と下部材とで被ガイド部材を構成し、上部材及び下部材の長手方向の中央域をベース板を上下から挟み込む部位とし、ベース板の幅方向に突出する上部材及び下部材の長手方向の両端域をネジで締結する部位としたことを特徴とする軒樋切断治具。
【請求項２】
上部材及び下部材の長手方向の両端域にネジを挿通させる挿通孔を長手方向に間隔をあけて複数穿孔したことを特徴とする請求項１記載の軒樋切断治具。
【請求項３】
長手方向の両端域における上部材及び下部材のいずれか一方の部材に溝状の嵌合部を設けると共に、他方の部材に嵌合部の溝内に嵌合させる挿入部を設け、嵌合部の溝深さをベース板の板厚より深く形成したことを特徴とする請求項１記載の軒樋切断治具。
【発明の詳細な説明】
【技術分野】
【０００１】
本発明は、軒樋を切断するのに用いる軒樋切断治具に関するものである。
【背景技術】
【０００２】
従来から軒樋を切断するには、軒樋の長手方向の任意位置に軒樋の周方向に亙って軒樋の外側にガイド部材を被着し、このガイド部材の側面に当接させた電動鋸の切断刃で軒樋を切断する方法が知られている（例えば、特許文献１参照）。しかしながら、この方法のよる軒樋の切断は、ユーザーが電動鋸の切断刃をガイド部材の側面に注意深く当接させ続けないと、電動鋸の切断刃がガイド部材の側面から離れてしまって軒樋の切断端面が乱れてしまうものであった。
【０００３】
そこで、上記問題を解決すべく、本発明者は、本発明に至る過程で、軒樋２の切断に図１０のような軒樋切断治具１を用いることを考案するに至った。この軒樋切断治具１は上記ガイド部材３と電動鋸４のベース板５に取り付けてガイド部材３にガイドさせる被ガイド部材６とから構成されている。そして、ガイド部材３には周方向に亙るガイド溝３８が形成されており、このガイド溝３８内に被ガイド部材６が摺動自在に挿入し得るようにされている。これによると、被ガイド部材６はガイド部材３のガイド溝３８に沿って軒樋２の周方向にのみ摺動され得るから、電動鋸４の切断刃４０は確実にガイドされ、容易に且つ精度の良く軒樋２の切断を行うことが可能とされたのである。
【０００４】
なお、この軒樋切断治具１にあって、図１１に示すように、被ガイド部材６における電動鋸４のベース板５への取付部分は、板状の金属板を側方に開口せるＵ字状に折り曲げて形成されている。つまり、側方に開口せるＵ字状の被ガイド部材６の取付部分は、略水平な上片６０と下片６１とが間隔をあけて対向し、この上片６０と下片６１とが屈曲部６２を介して連続した形状に形成されている。また、電動鋸４のベース板５の端縁には上方に屈曲するフランジ５ａが形成されており、ベース板５の幅方向両側のフランジ５ａの部位にはそれぞれ貫通孔４１が対向するように穿設されている。また、一対の貫通孔４１の間におけるベース板５の上面にはトンネル部４２が形成され、トンネル部４２内には上方から止めネジ４３が螺進自在に挿入されている。そして、被ガイド部材６をベース板５に取付けるには、被ガイド部材６の上片６０を両貫通孔４１及びトンネル部４２に挿通させ、上片６０と下片６１との間にベース板５を挿入し、止めネジ４３を下方に螺進させて上片６０をベース板５に押し付けることで行われている。
【特許文献１】特開２００３−９７００２号公報
【発明の開示】
【発明が解決しようとする課題】
【０００５】
ところで、上記被ガイド部材６のベース板５への取付構造では、被ガイド部材６は所定の電動鋸４のベース板５にのみ取り付けることが可能であり、つまりユーザーがこの軒樋切断治具１を用いた軒樋２の切断を行うには所定の電動鋸４を所持していることが前提とされるのであった。しかして、すでに他種の電動鋸４を所持しているユーザーは、新たに所定の電動鋸４を購入する以外に、この軒樋切断治具１を用いた軒樋２の切断を行うことができないものであり、したがって、これらユーザーから種々の電動鋸４にも対応して取付可能な被ガイド部材６を有する軒樋切断治具１の開発の要望が上がっているのが現状であった。
【０００６】
本発明は上記の従来の問題点に鑑みて発明したものであって、種々の電動鋸にも取付可能な被ガイド部材を有した軒樋切断治具を提供し、軒樋切断治具を用いた精度良い軒樋の切断を種々の電動鋸を使用して行わせることを課題とするものである。
【課題を解決するための手段】
【０００７】
上記課題を解決するために本発明に係る軒樋切断治具は、軒樋２の長手方向の任意位置に軒樋２の周方向に亙って軒樋２の外側に被着するガイド部材３と、電動鋸４のベース板５に取り付けて軒樋切断時にガイド部材３によってガイドされる被ガイド部材６とで構成した軒樋切断治具１において、ベース板５の幅寸法よりも長い板状の上部材６ａと下部材６ｂとで被ガイド部材６を構成し、上部材６ａ及び下部材６ｂの長手方向の中央域をベース板５を上下から挟み込む部位とし、ベース板５の幅方向に突出する上部材６ａ及び下部材６ｂの長手方向の両端域をネジ７で締結する部位としたことを特徴とする。
【０００８】
これによると、ベース板５の幅寸法よりも長い板状の上部材６ａと下部材６ｂとで被ガイド部材６を構成し、上部材６ａをベース板５の上面に載置すると共に下部材６ｂをベース板５の下面に沿わせて配置し、ベース板５の幅方向に突出する上部材６ａ及び下部材６ｂの長手方向の両端域をネジ７で締結することで、ベース板５を挟み付けるようにして被ガイド部材６をベース板５に取付けるようにしたので、貫通孔４１やトンネル部４２や止めネジ４３などを備えない電動鋸４のベース板５にも被ガイド部材６を取り付けることができるのであり、また、上部材６ａ及び下部材６ｂの長手方向の両端域がベース板５の幅方向に突出しさえすれば上部材６ａ及び下部材６ｂの長手方向の両端域をネジ７で締結できるから、幅寸法の異なるベース板５に対しても被ガイド部材６を取り付けることができるのであり、また、上部材６ａと下部材６ｂとを締結するネジ７の長さやネジ７の締結具合を変化させることで厚みが異なるベース板５に対しても被ガイド部材６を取付けることができるのである。このように、種々の電動鋸４にも被ガイド部材６は取付可能であり、軒樋切断治具１を用いた精度良い軒樋２の切断を種々の電動鋸４を使用して行わせることができる。
【０００９】
また、上部材６ａ及び下部材６ｂの長手方向の両端域にネジ７を挿通させる挿通孔１０ａ，１０ｂを長手方向に間隔をあけて複数穿孔したことも好ましい。上部材６ａと下部材６ｂとをネジ７で締結してベース板５に被ガイド部材６を取り付けるには、上部材６ａと下部材６ｂとの間に挟み込んだベース板５の近傍で上記ネジ７の締結を行うことが上部材６ａと下部材６ｂとで強固にベース板５を挟み付けることができて好ましいが、上記のように上部材６ａ及び下部材６ｂの長手方向の両端域にネジ７を挿通させる挿通孔１０ａ，１０ｂを長手方向に間隔をあけて複数穿孔したことで、幅寸法が異なるベース板５に合わせて適宜の挿通孔１０ａ，１０ｂを選んでネジ７を挿通させてベース板５の近傍で上部材６ａと下部材６ｂの締結を行わせることができる。このように、ベース板５の幅寸法が異なる種々の電動鋸４にも強固に被ガイド部材６を取付けることができる。
【００１０】
また、長手方向の両端域における上部材６ａ及び下部材６ｂのいずれか一方の部材に溝状の嵌合部８を設けると共に、他方の部材に嵌合部８の溝内に嵌合させる挿入部９を設け、嵌合部８の溝深さをベース板５の板厚より深く形成したことも好ましい。これによると、挿入部９を嵌合部８に嵌合させることによって上部材６ａと下部材６ｂとの位置ズレを防止できる。加えて、嵌合部８の溝深さがベース板５の板厚より深く形成されたから、厚みが異なるベース板５に被ガイド部材６を取り付ける際にも挿入部９の嵌合部８へ嵌合を伴って行わせることができる。つまり、厚みが異なるベース板５にも被ガイド部材６を位置ズレを防止しながら取り付けることができる。
【発明の効果】
【００１１】
本発明は、叙述したように、ベース板の幅寸法よりも長い板状の上部材と下部材とで被ガイド部材を構成し、上部材をベース板の上面に載置すると共に下部材をベース板の下面に沿わせて配置し、ベース板の幅方向に突出する上部材及び下部材の長手方向の両端域をネジで締結することで、ベース板を挟み付けるようにして被ガイド部材をベース板に取付けるようにしたので、貫通孔やトンネル部や止めネジなどを備えない電動鋸のベース板にも被ガイド部材を取り付けることが可能とされ、また、上部材及び下部材の長手方向の両端域がベース板の幅方向に突出しさえすれば上部材及び下部材の長手方向の両端域をネジで締結できるから、幅寸法の異なるベース板に対しても被ガイド部材を取り付けることが可能とされ、更に、上部材と下部材とを締結するネジの長さやネジの締結具合を変化させることで厚みが異なるベース板に対しても被ガイド部材の取付けを可能としている。このように、種々の電動鋸に対して被ガイド部材は取付可能であり、つまり被ガイド部材の汎用性を向上でき、したがって軒樋切断治具を用いた精度良い軒樋の切断を種々の電動鋸を使用して行わせることが可能とされるのである。
【発明を実施するための最良の形態】
【００１２】
以下、本発明を添付図面に示す実施形態に基いて説明する。
【００１３】
図１乃至図９に本発明の実施の形態の例を示す。本例の軒樋切断治具１は、角型の軒樋２をその長手方向の任意位置で精度良く切断するために用いられる治具であり、軒樋２の長手方向の任意位置に軒樋２の周方向に亙って軒樋２の外側に被着するガイド部材３と、軒樋２を切断する電動鋸４のベース板５に着脱自在に装着する被ガイド部材６とで構成されている。
【００１４】
ここで、角型の軒樋２は、図１のように、水平板状の底壁２１の前端から前壁２２が上方に立設し、この底壁２１の後端から後壁２３が上方に立設して形成された断面略Ｕ字状の軒樋２である。前壁２２と後壁２３とは対向しており、前壁２２の上端には後方に向けて突出した前耳部２４が形成され、後壁２３の上端には前方に向けて突出した後耳部２５が形成されている。また本例の軒樋２では、前壁２２と底壁２１との間に軒樋２の内方に突出した段部２６が形成されている。なお、前壁２２から底壁２１を介して後壁２３に至る方向を軒樋２の周方向という。この軒樋２の周方向は軒樋２の長手方向とは略直交する方向である。
【００１５】
軒樋切断治具１を構成せるガイド部材３は、図３のように、軒樋２の長手方向の任意位置に軒樋２の周方向に亙って軒樋２の外側に被着するガイド部材本体３０を有し、このガイド部材本体３０の幅方向の両側縁にガイド部材３の周方向に亙るガイド壁３７が外方に向けてそれぞれ立設されている。ここで、ガイド部材本体３０は一定の幅寸法を有し且つ軒樋２の外形形状（断面形状）に合わせた板状のものであり、具体的には、軒樋２の底壁２１の外側を被覆する底壁被覆部３１、軒樋２の前壁２２の外側を被覆する前壁被覆部３２、軒樋２の後壁２３の外側を被覆する後壁被覆部３３をガイド部材本体３０の周方向に連設し、軒樋２の前耳部２４を引掛ける前耳フック３４を前壁被覆部３２の上端に形成すると共に、軒樋２の後耳部２５を引掛ける後耳フック３５を後壁被覆部３３の上端に形成して構成されている。なお、底壁被覆部３１と前壁被覆部３２との間には軒樋の段部２６の外側を被覆する段部被覆部３６が形成されている。しかして、このガイド部材本体３０は、連設した底壁被覆部３１、前壁被覆部３２及び後壁被覆部３３で囲まれたガイド部材本体３０の内方空間に、ガイド部材本体３０の幅方向と軒樋２の長手方向を合わせるようにして軒樋２を位置して取り付けできるようにされている。なお、上述したようにガイド部材本体３０内に軒樋２を位置したときには、前耳フック３４が前耳部２４と係合すると共に後耳フック３５が後耳部２５と係合するので、ガイド部材３と軒樋２との取付状態が維持できるようにされている。また、このガイド部材３では、上述のように幅方向に一定の間隔を有して並設したガイド壁３７がガイド部材３の周方向に亙って形成されているが、この一対のガイド壁３７及びガイド部材本体３０の外面にて囲まれた部位はガイド溝３８を構成している。つまり、ガイド溝３８は、平行した一対のガイド壁３７が溝壁を構成すると共にガイド部材本体３０の外面が溝底を構成し、ガイド部材３の外方に開口してガイド部材３の周方向に亙って直線状に形成された溝である。
【００１６】
上記ガイド部材３と共に軒樋切断治具１を構成せる被ガイド部材６は、図２のように、ネジ７で一体に締結される別体の上部材６ａと下部材６ｂとから構成されている。上部材６ａは、ベース板５の幅寸法よりも長い長手寸法を有する帯板状の金属板材であり、その長手方向の両端域にはそれぞれ挿通孔１０ａを穿孔している。この挿通孔１０ａはネジ７を挿通させる孔であり、１つの長手方向の両端域に対して２つの挿通孔１０ａを上部材６ａの長手方向に間隔をあけて穿孔している。なお、上部材６ａの長手方向の両端部位は後述する下部材６ｂの嵌合部８に嵌合させる挿入部９を構成している。また、下部材６ｂは、直交して一体化する帯板状の腕部１１と長板状の被ガイド体部１２とで構成された金属板材である。腕部１１は、ベース板の幅寸法よりも長い長手寸法を有する帯板状の部位であって、上部材６ａとネジ７で締結されて上部材６ａと協働してベース板５を挟み込む部位である。本例では腕部１１の長手寸法は上部材６ａの長手寸法と同寸法に形成されている。なお、この腕部１１の長手方向の両端域にはそれぞれ挿通孔１０ｂを穿孔している。この挿通孔１０ｂは上部材６ａに穿孔した挿通孔１０ａと同個数、同軸位置に形成されている。腕部１１の長手方向の両端部位には上方に開口せる断面コ字溝状の嵌合部８を設けている。この嵌合部８は、帯状の腕部１１の両幅縁から対向せる一対の立上片１１ａを突設することで形成されていると共に、ベース板５の板厚よりも深い溝深さに形成されている。また、被ガイド体部１２は、腕部１１の長手方向と直交する方向に長く且つガイド溝３８の溝幅と同幅寸法を有する長板状の部位であり、ガイド部材３のガイド溝３８に摺動自在に挿入される部位である。被ガイド体部１２は腕部１１の長手方向の中央部分で被ガイド体部１２が一段下がった位置に一体化されている。詳しくは腕部１１と被ガイド体部１２との接続部位では、腕部１１が垂下方向に折れ曲がり、この折れ曲がった腕部１１の下端に被ガイド体部１２が結合されている。なお、被ガイド体部１２の長手方向の先端には斜め上方に屈曲した折曲部１２ａが形成されている。また、上部材６ａと下部材６ｂとを締結するネジ７は、本例では作業の容易化を図って、ネジ材７ａと指で摘めるナット材７ｂとで構成される蝶ネジが用いられている。
【００１７】
上記被ガイド部材６は電動鋸４のベース板５に取付けて使用されるのであるが、本例で挙げる電動鋸４は、周縁に亙って上方に屈曲した補強用のフランジ５ａを有する矩形板状のベース板５が備えられ、ベース板５の左右方向の中央から偏った位置から下方に貫通するように切断刃４０が配置されている。この切断刃４０は円盤状であり、その円盤面はベース板５の左右方向に向くようにされている。またベース板５の前端部分に位置する左右のフランジ５ａの対面位置にはそれぞれ貫通孔４１が穿孔され、一対の貫通孔４１の間のベース板５の上面には貫通孔４１と同軸状のトンネル部４２が形成され、トンネル部４２内には上方から止めネジ４３が螺進自在に挿入されている。この電動鋸４は、ベース板５の左右方向を軒樋２の長手方向と同方向に向けることで、軒樋２の周方向に切断刃４０の切断端面を向けることができ、周方向に軒樋２を切断できるものである。
【００１８】
以下、電動鋸４への被ガイド部材６の取付けを説明する。まず、図４のように、上部材６ａを一対の貫通孔４１及びトンネル部４２に貫通させてベース板５の上面に沿わせて配置する（矢印Ａ）。このとき、上部材６ａはベース板５の幅寸法よりも長く形成されているので、上部材６ａの長手方向の両端域はベース板の幅方向に突出した状態となる。次に、下部材６ｂをベース板５の下面に沿わせて配置する（矢印Ｂ）。このとき、下部材６ｂの被ガイド体部１２の折曲部１２ａを切断刃４０の切削端面が向く方向（すなわちベース板５の前方）に位置させるようにする。ここで、この下部材６ｂは上部材６ａと長手寸法が同寸法に形成されているので、下部材６ｂの長手方向の両端域はベース板５の幅方向に突出して上部材６ａの長手方向の両端域と対向する。そして、上部材６ａ及び下部材６ｂの挿通孔１０ａ，１０ｂを同軸状に位置させるように上部材６ａの挿入部９に下部材６ｂの嵌合部８を嵌め込み、同軸状に位置した挿通孔１０ａ，１０ｂにネジ７を挿通し、ネジ材７ａとナット材７ｂとを軽く締結することで、上部材６ａと下部材６ｂとのベース板５への仮止めを行う。このときには、上部材６ａと下部材６ｂとは、挿入部９の嵌合部８への嵌合を伴って取り付けられているから、上部材６ａと下部材６ｂとの位置ズレが有効に防止されている。次に、ベース板５に仮止めした被ガイド部材６を本固定する。具体的には、図５のように、止めネジ４３をベース板５に向けて螺進させて上部材６ａをベース板５の上面に押し付けると共に、図６のように、ネジ７を締付けて上部材６ａと下部材６ｂとを強固に固定することで上記本固定は行われる。このようにして電動鋸４のベース板５に取付けられた被ガイド部材６は、ベース板５の下方で且つ切断刃４０の側方位置に配置される。詳しくは、被ガイド体部１２の板面はベース板５の下面と平行して対向し、被ガイド体部１２の長手方向は切断刃４０の円盤面と略平行の位置関係となる。
【００１９】
そして、軒樋２をその長手方向の任意位置で切断するには、図１のように、軒樋２の長手方向の任意位置にガイド部材３を被着し、電動鋸４のベース板５に被ガイド部材６を取付け、この被ガイド部材６の被ガイド体部１２をガイド部材３のガイド溝３８に挿入して摺動させながら、回転駆動する切断刃４０を軒樋２に押し当てることで行われる。つまり、被ガイド体部１２をガイド部材３のガイド溝３８に軒樋１の周方向に亙って挿入摺動させることで、切断刃４０は軒樋１の周方向に亙ってガイドされるから、周方向に亙って軒樋２を精度良く切断できることが確保されている。なお、本例の被ガイド体部１２は、ガイド溝３８への挿入角度を多少変化させても折曲片１２ａにてガイド溝３８の溝底への接地を維持できるから、軒樋２の切断を適宜負担のかからない楽な姿勢で行わせ得るといった利点も有している。
【００２０】
ところで、本例の被ガイド部材６は、上述したようにベース板５の幅寸法よりも長い上部材６ａと下部材６ｂとで構成され、上部材６ａをベース板５の上面側に沿わせて配置すると共に下部材６ｂをベース板５の下面側に沿わせて配置し、ベース板５の幅方向に突出する上部材６ａ及び下部材６ｂの長手方向の両端域をネジ７で締結することで、上部材６ａと下部材６ｂとの間にベース板５を挟み付けるといった挟持構造によってベース板５に取付けることができたものである。しかして、たとえば、図８のように止めネジ４３やトンネル部４２や貫通孔４１を備えずに被ガイド部材６の取付けが想定されていない電動鋸４のベース板５にも、本例の被ガイド部材６は上記挟持構造によって取り付けることが可能とされている。
【００２１】
また、本例の被ガイド部材６は、上部材６ａ及び下部材６ｂの長手方向の両端域がベース板５の幅方向に突出しさえすれば、上部材６ａ及び下部材６ｂの長手方向の両端域をネジ７で締結できて、被ガイド部材６をベース板５に取り付けることができるから、たとえば、図９のように、幅寸法が多少異なるベース板５にも本例の被ガイド部材６は問題なく取り付けることが可能とされている。なお、ベース板５に被ガイド部材６を取付ける際には、上部材６ａと下部材６ｂとの間に挟み込んだベース板５の近傍でネジ７の締結を行うことが、上部材６ａと下部材６ｂとで強固にベース板５を挟み付けることができて好ましい。そして、本例の被ガイド部材６では、上部材６ａ及び下部材６ｂの長手方向の両端域にネジ７を挿通させる挿通孔１０ａ，１０ｂを長手方向に間隔をあけて複数穿孔してあるので、幅寸法が異なるベース板５に合わせて適宜の挿通孔１０ａ，１０ｂを選んでネジ７を挿通させてベース板５の近傍で上部材６ａと下部材６ｂの締結を行わせることができ、ベース板５の幅寸法が異なる種々の電動鋸４にも被ガイド部材６の強固な取付けが可能とされている。
【００２２】
更に言うと、本例の被ガイド部材６は、図８のように、上部材６ａと下部材６ｂとを締結するネジ７の長さやネジ７の締結具合を変化させることで、フランジ５ａの高さが異なったりして板厚が異なるベース板５に対しても取付けることが可能とされている。なお、このとき、嵌合部８の溝深さはベース板５の板厚より深く形成されているから、厚みが異なるベース板５に被ガイド部材６を取り付ける際にも、挿入部９の嵌合部８への嵌合を確保することができるのであって、つまり、厚みが異なるベース板５にも被ガイド部材６を位置ズレを防止しながら取り付けることができるのである。
【００２３】
上述したように、本例の被ガイド部材６は種々の電動鋸４にも取付可能とされている。したがって、軒樋切断治具１を用いた精度良い軒樋２の切断を種々の電動鋸４を使用して行わせることができるのであり、すでに他種の電動鋸４を所持しているユーザーにあっても、所定の電動鋸４を新たに購入することなしに、この軒樋切断治具１を用いた軒樋２の切断を行うことが可能とされたのである。
【図面の簡単な説明】
【００２４】
【図１】本発明の実施の形態の例の軒樋を切断する状態の斜視図である。
【図２】同上の被ガイド部材の分解斜視図である。
【図３】同上のガイド部材の斜視図である。
【図４】同上の被ガイド部材のベース板への取り付けを説明する説明図である。
【図５】同上の被ガイド部材のベース板への取り付けを説明する説明図である。
【図６】同上の被ガイド部材のベース板への取り付けを説明する説明図である。
【図７】同上の要部の正面断面図である。
【図８】同上の被ガイド部材を貫通孔等が無い他種類の電動鋸のベース板に取付けた状態の要部の正面断面図である。
【図９】同上の被ガイド部材をベース板の幅寸法が異なる他種類の電動鋸のベース板に取付けた状態の要部の正面断面図である。
【図１０】従来技術の例の軒樋を切断する状態の斜視図である。
【図１１】同上の被ガイド部材のベース板への取付けを説明する説明図である。
【符号の説明】
【００２５】
１  軒樋切断治具
２  軒樋
３  ガイド部材
４  電動鋸
５  ベース板
５ａ  フランジ
６  被ガイド部材
６ａ  上部材
６ｂ  下部材
７  ネジ
８  嵌合溝
９  挿入部
１０ａ  挿通孔
１０ｂ  挿通孔
【図１】
2005048444.tif 000003
【図２】
2005048444.tif 000004
【図３】
2005048444.tif 000005
【図４】
2005048444.tif 000006
【図５】
2005048444.tif 000007
【図６】
2005048444.tif 000008
【図７】
2005048444.tif 000009
【図８】
2005048444.tif 000010
【図９】
2005048444.tif 000011
【図１０】
2005048444.tif 000012
【図１１】
2005048444.tif 000013